(57)【要約】【課題】通信装置と子機が接続されていないときにも、外線着信中であることをユーザに通知するようにすること。【解決手段】ＩＰ網３を介した電話通信を行なうＩＰ網通信手段と、本通信装置１に接続される子機２との通信に必要な種々の情報を登録する子機登録手段と、子機２と通信を行なう子機通信手段とを有する通信装置１であって、前記ＩＰ網通信手段を介した外部からの電話の着信を検出する着信検出手段と、前記着信検出手段により電話の着信が検出された際に、着信を通知する着信通知手段とを設ける。【選択図】図１
2008258721.tif 000002
【特許請求の範囲】
【請求項１】
ＩＰ網を介した電話通信を行なうＩＰ網通信手段と、本通信装置に接続される子機との通信に必要な種々の情報を登録する子機登録手段と、子機と通信を行なう子機通信手段とを有する通信装置であって、前記ＩＰ網通信手段を介した外部からの電話の着信を検出する着信検出手段と、前記着信検出手段により電話の着信が検出された際に、着信を通知する着信通知手段とを有することを特徴とする通信装置。
【請求項２】
公衆回線網を介した電話通信を行なう公衆回線網通信手段と、公衆回線網を経由した電話通信を通話装置内でＩＰ網を介した電話通信と同じように処理できるように変換するゲートウェイ手段とを設けることを特徴とする請求項１記載の通信装置。
【請求項３】
着信通知手段により着信を通知するかどうかをユーザが選択する選択手段を設けることを特徴とする請求項１から２いずれか１項に記載の通信装置。
【請求項４】
子機通信手段により通信可能な子機が存在するかどうかを判定する子機接続判定手段を設けることを特徴とする請求項１から２いずれか１項に記載の通信装置。
【請求項５】
網から電話着信時、あるタイムアウト時間を超過しても、その着信に対する子機からの応答が無かった場合にのみ、前記着信通知手段により通知することを特徴とする請求項１から２いずれか１項に記載の通信装置。
【請求項６】
タイムアウト時間をユーザが設定可能であることを特徴とする請求項５に記載の通信装置。
【請求項７】
前記着信通知手段は光による通知であることを特徴とする請求項１から２いずれかに記載の通信装置。
【請求項８】
前記着信通知手段は音による通知であることを特徴とする請求項１から２いずれかに記載の通信装置。
【請求項９】
前記子機通信手段で子機との通信に用いるプロトコルはＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）であることを特徴とする請求項１から２いずれか１項に記載の通信装置。
【請求項１０】
前記子機通信手段で子機との呼制御に用いるプロトコルはＳＩＰ（Ｓｅｓｓｉｏｎ Ｉｎｉｔｉａｔｉｏｎ Ｐｒｏｔｏｃｏｌ）であることを特徴とする請求項１から２いずれか１項に記載の通信装置。
【請求項１１】
前記子機通信手段で子機との呼制御に用いるプロトコルはＨ．３２３であることを特徴とする請求項１から２いずれか１項に記載の通信装置。
【請求項１２】
前記着信検出手段はＩＰ網と公衆回線網のどちらから着信したかを判断する機能を有し、前記着信通知手段は前記着信検出手段の判断結果に従って異なる方法で通知することを特徴とする請求項２に記載の通信装置。
【請求項１３】
ＩＰ網を介した電話通信を行なうＩＰ網通信手段と、本通信装置に接続される子機との通信に必要な種々の情報を登録する子機登録手段と、子機との通信を行なう子機通信手段とを有する通信装置の制御方法であって、前記ＩＰ網通信手段を介した外部からの電話の着信を検出する着信検出ステップと、前記着信検出ステップにより電話の着信が検出された際に、着信を通知する着信通知ステップとを有することを特徴とする通信装置の制御方法。
【請求項１４】
ＩＰ網を介した電話通信を行なうＩＰ網通信手段と、本通信装置に接続される子機との通信に必要な種々の情報を登録する子機登録手段と、子機との通信を行なう子機通信手段とを有する通信装置のプログラムであって、ＩＰ網通信手段を介した外部からの電話の着信を検出する着信検出ステップと、前記着信検出ステップにより電話の着信が検出された際に、着信を通知する着信通知ステップを実行させることを特徴とするプログラム。
【発明の詳細な説明】
【技術分野】
【０００１】
本発明は、ＩＰ網を介した電話通信を行なう通信装置及びその制御方法ならびにプログラムに関するものである。
【背景技術】
【０００２】
近年、ＡＤＳＬ（Ａｓｙｍｍｅｔｒｉｃ Ｄｉｇｉｔａｌ Ｓｕｂｓｃｒｉｂｅｒ Ｌｉｎｅ）やＦＴＴＨ（Ｆｉｂｅｒ Ｔｏ Ｔｈｅ Ｈｏｍｅ）などブロードバンドアクセス回線の家庭への普及に伴い、パーソナルコンピュータに代表される家庭内の複数のネットワーク機器が、インターネット接続を共有できるようにする、「ブロードバンドルータ」と呼ばれる通信機器が広く普及している。最近ではブロードバンドルータ配下に、単数あるいは複数台のＩＰ（Ｉｎｔｅｒｎｅｔ Ｐｒｏｔｏｃｏｌ）電話子機を有線あるいは無線によりネットワーク接続可能な、ＩＰ電話対応ルータ（以降、通信装置）と呼ばれる製品も市場投入されている。この通信装置は、配下にネットワーク接続された子機を使って、ＩＰ（Ｉｎｔｅｒｎｅｔ Ｐｒｏｔｏｃｏｌ）網による外線発着信や、子機同士の内線通話が可能であり、中には公衆回線網用インターフェースを持つことにより、公衆回線網による発着信が可能なものも存在する。
【０００３】
従来の通信装置において、子機（あるいは周知の電話端末）が接続されていないときに外線着信があった場合に、通信装置内に着信相手からの音声メッセージを記憶し、子機が接続された際に、子機に対して音声メッセージの記憶を通知することで、ユーザに着信を知らせる技術が存在する（例えば特許文献１参照）。
【特許文献１】特開２００４−１１２３０８号公報
【発明の開示】
【発明が解決しようとする課題】
【０００４】
しかしながら上記の従来の構成では、ユーザのミスにより、子機の電源がオフの状態であった場合や、子機の設定ミスなどにより、子機が通信装置に接続していない場合など、ユーザが子機は通信装置に接続しているものと勘違いしているような場合にも、通信装置内に着信相手からの音声メッセージが録音されてしまう処理に移行してしまい、ユーザは外線着信していることに気付かないという課題があった。
【０００５】
さらに、ＩＰ電話対応ルータを用いた通信システムにおいては、通常の公衆回線網で用いられるアナログ親子電話機とは異なり、子機はＩＰ通信可能であることから、子機単独でホットスポットやオフィスで利用可能であるため、親機配下に子機が接続されていない状況が容易に起き得る。
【０００６】
本発明は、このような従来の課題を解決するものであり、通信装置と子機が接続されていないときにも、外線着信中であることをユーザに通知することのできる通信装置及びその制御方法ならびにプログラムを提供することを目的とする。
【課題を解決するための手段】
【０００７】
本発明は、ＩＰ網を介した電話通信を行なうＩＰ網通信手段と、本通信装置に接続される子機との通信に必要な種々の情報を登録する子機登録手段と、子機と通信を行なう子機通信手段とを有する通信装置であって、前記ＩＰ網通信手段を介した外部からの電話の着信を検出する着信検出手段と、前記着信検出手段により電話の着信が検出された際に、着信を通知する着信通知手段とを設けたものである。
【０００８】
この構成により、外線電話の着信時に、着信通知手段によりユーザに対して外線着信を通知することができる。
【発明の効果】
【０００９】
本発明によれば、通信装置が外線着信をユーザに通知することが可能となり、通信装置と子機が接続されていないときにも、ユーザは外線着信に気付くことができるという効果を奏する。
【発明を実施するための最良の形態】
【００１０】
第１の発明は、ＩＰ網を介した電話通信を行なうＩＰ網通信手段と、本通信装置に接続される子機との通信に必要な種々の情報を登録する子機登録手段と、子機と通信を行なう子機通信手段とを有する通信装置であって、ＩＰ網通信手段を介した外部からの電話の着信を検出する着信検出手段と、着信検出手段により電話の着信が検出された際に、着信を通知する着信通知手段とを設けている。
【００１１】
これにより、通信装置が外線着信をユーザに通知することが可能となるので、通信装置と子機が接続されていないときにも、ユーザは外線着信に気付くことができる。
【００１２】
第２の発明は、第１の発明において、公衆回線網を介した電話通信を行なう公衆回線網通信手段と、公衆回線網を経由した電話通信を通話装置内でＩＰ網を介した電話通信と同じように処理できるように変換するゲートウェイ手段とを設ける、ように構成されてもよい。
【００１３】
これにより、通信装置はＩＰ網のみでなく、公衆回線網からの着信も通知することが可能となるので、家庭内に複数種別（ＩＰ網／公衆回線網）の回線を持つユーザに対しても、回線種別に関係なく着信を通知することができる。
【００１４】
第３の発明は、第１もしくは第２の発明において、着信通知手段により着信を通知するかどうかをユーザが選択する選択手段を設ける、ように構成されてもよい。
【００１５】
これにより、通信装置において着信を通知するかどうかをユーザが選択可能となり、通知が不要の場合には着信を通知しないようにすることができる。
【００１６】
第４の発明は、第１もしくは第２の発明において、子機通信手段により通信可能な子機が存在するかどうかを判定する子機接続判定手段を設ける、ように構成されてもよい。
【００１７】
これにより、通信装置は子機が接続されているかどうかを知ることが可能となるので、子機が接続されていない場合にのみ、通信装置が着信を通知することができる。
【００１８】
第５の発明は、第１もしくは第２の発明において、通信装置は、網から電話着信時、あるタイムアウト時間を超過しても、その着信に対する子機からの応答が無かった場合にのみ、着信通知手段により通知する、ように構成されてもよい。
【００１９】
これにより、着信に対して子機が一定時間、応答しなかった場合にのみ、通信装置が着信を通知することができるようになり、例えばユーザがマナーモード設定などにより子機の着信音を切っていた場合などに、一定時間後に通信装置が着信を通知することで、ユーザが着信に気付くことができる。
【００２０】
第６の発明は、第５の発明において、タイムアウト時間をユーザが設定可能である、ように構成されてもよい。
【００２１】
これにより、ユーザは通信装置が着信を通知するまでの時間を設定することで、ユーザの好みに応じて通知までの時間を調節することができる。
【００２２】
第７の発明は、第１もしくは第２の発明において、通信装置は、着信通知手段は光による通知である、ように構成されてもよい。
【００２３】
これにより、通信装置が着信を光で通知することで、耳の不自由なユーザでも着信に気付くことができる。
【００２４】
第８の発明は、第１もしくは第２の発明において、通信装置は、着信通知手段は音による通知である、ように構成されてもよい。
【００２５】
これにより、通信装置が着信を音で通知することで、通信装置から離れたところにユーザがいる場合でも、ユーザは着信に気付くことができる。
【００２６】
第９の発明は、第１もしくは第２の発明において、通信装置は、子機通信手段で子機との通信に用いるプロトコルはＴＣＰ／ＩＰである、ように構成されてもよい。
【００２７】
これにより、通信装置と子機間の通信はネットワーク通信において事実上標準となっているＴＣＰ／ＩＰを用いることで、特殊なプロトコルを実装する必要が無くなり、実装が容易になる。
【００２８】
第１０の発明は、第１もしくは第２の発明において、通信装置は、子機通信手段で子機との呼制御に用いるプロトコルはＳＩＰである、ように構成されてもよい。
【００２９】
これにより、通信装置と子機間の通信において、その呼制御にＩＰ電話やインスタントメッセンジャーなどで標準的に用いられるＳＩＰを用いることで、特殊なプロトコルを実装する必要が無くなり、実装が容易になるほか、ＳＩＰを実装した子機であれば、他社製の子機でも通信装置の子機として使用することができる。
【００３０】
第１１の発明は、第１もしくは第２の発明において、子機通信手段で子機との呼制御に用いるプロトコルはＨ．３２３である、ように構成されてもよい。
【００３１】
これにより、通信装置と子機間の通信において、その呼制御にテレビ電話などの実装に利用されるＨ．３２３を用いることで、特殊なプロトコルを実装する必要がなくなるほか、Ｈ．３２３を実装した子機であれば、他社製の子機でも通信装置の子機として使用することができる。
【００３２】
第１２の発明は、第２の発明において、通信装置は、着信検出手段はＩＰ網と公衆回線網のどちらから着信したかを判断する機能を有し、着信通知手段は着信検出手段の判断結果に従って異なる方法で通知する、ように構成されてもよい。
【００３３】
これにより、ＩＰ網と公衆回線網のどちらの着信かを判断し、その結果に従って異なる方法で通知することで、ユーザはＩＰ網と公衆回線網のどちらに着信したかを判別することができる。
【００３４】
以下、本発明の実施の形態について図面を用いて説明する。
【００３５】
（実施の形態１）
図１は、実施の形態１における通信装置を用いたシステムの構成の一例を示すシステム構成図である。
【００３６】
図１において、１は本実施の形態に係る通信装置、２は通信装置１に登録され、ネットワーク接続されているＩＰ電話機やパーソナルコンピュータ上で動作するＩＰ電話ソフトウェアなどの子機、３はインターネットやイントラネットなどにより構成されるＩＰ網であり、ユーザは子機２を利用することで、通信装置１を経由してＩＰ網３を介した電話の発着信を行なう。
【００３７】
図２は、本発明の実施の形態１における通信装置の内部構成を示す図である。
【００３８】
図２において、中央処理装置４は、データバス５を介して各部との信号の入出力を行い、この入力した信号に応じて各構成要素を制御する。すなわち、中央処理装置４はプログラム格納部６に格納された各種プログラムに従って、通信装置１全体の動作を制御することにより、通信装置１のＩＰ網３への接続や、子機２とのネットワーク接続及び発着信の処理、各種プロトコルの処理などを実行する。プログラム格納部６は、マスクＲＯＭ（Ｒｅａｄ Ｏｎｌｙ Ｍｅｍｏｒｙ）やフラッシュＲＯＭ、ＥＥＰＲＯＭ（Ｅｌｅｃｔｒｏｎｉｃａｌｌｙ Ｅｒａｓａｂｌｅ ａｎｄ Ｐｒｏｇｒａｍｍａｂｌｅ Ｒｅａｄ Ｏｎｌｙ Ｍｅｍｏｒｙ）などで構成され、通信装置１の動作を制御する各種プログラムを格納したメモリである。メモリ部７は、中央処理装置４が処理を行なう場合に、一時的な作業用メモリ領域として使用される。メモリ部７は揮発性メモリで構成される場合が多いが、不揮発性メモリで構成される場合も有り得る。
【００３９】
ネットワーク制御部８は、ネットワーク通信に関する、ＩＰ（Ｉｎｔｅｒｎｅｔ Ｐｒｏｔｏｃｏｌ）に代表される各種プロトコルを処理し、データのルーティングを行なう。ＷＡＮ側通信部９は、ＷＡＮ（Ｗｉｄｅ Ａｒｅａ Ｎｅｔｗｏｒｋ）やイントラネットなどの外部ネットワークとのデータの送受信を司る部分であり、Ｅｔｈｅｒｎｅｔ（登録商標）などの有線や無線により通信装置１をＩＰ網３などの外部ネットワークと接続する。ＬＡＮ側通信部１０は、通信装置１の配下、すなわちＬＡＮ（Ｌｏｃａｌ Ａｒｅａ Ｎｅｔｗｏｒｋ）側に配置される端末と通信装置１を有線や無線により接続される。一般的に、子機２は通信装置のＬＡＮ側に接続される場合が多いが、例えば、ホットスポットから子機を利用する場合など、ＷＡＮ側から通信装置に論理的にＩＰ接続する形態も有り得る。記憶部１１は、通信装置１の設定情報や子機２の登録情報など、通信装置１の運用に必要な情報を記憶しておく部分であり、フラッシュＲＯＭなど不揮発性メモリで構成される場合が多い。
【００４０】
呼制御プログラム１２は、プログラム格納部６に格納されており、ＩＰ網３を経由したＩＰ電話の発着信を制御するプログラムである。例えば、着信の際に通信装置１に接続されている子機２を呼び出すための処理を行なったり、発信の際に子機２から送信された呼制御情報に基づいて、発信元とは別の子機２を呼び出したり、ＩＰ網３に存在する別の呼制御サーバに接続したりする処理を行なう。呼制御プログラム１２は、ＳＩＰ（Ｓｅｓｓｉｏｎ Ｉｎｉｔｉａｔｉｏｎ Ｐｒｏｔｏｃｏｌ）サーバや、ＩＰ−ＰＢＸソフトウェアなどで構成される場合が多いが、その限りではない。操作プログラム１３は、通信装置１のステータスを表示したり、ユーザが各種設定を行なうためのプログラムである。操作プログラム１３は、ＨＴＴＰ（Ｈｙｐｅｒ Ｔｅｘｔ Ｔｒａｎｓｆｅｒ Ｐｒｏｔｏｃｏｌ）サーバで構成される場合が多く、ユーザは通信装置１にネットワーク接続されたパーソナルコンピュータなどの端末から、Ｗｅｂブラウザを使用して通信装置１に接続して設定を行なうことができるが、その限りではない。制御プログラム１４は、プログラム格納部６に格納されており、ルータの基本機能であるルーティング処理やフィルタリング処理だけでなく、呼制御プログラム１２及び操作プログラム１３が行なう以外の全ての必要な処理を実行するプログラムである。通知部１５は、ユーザに対して電話の着信を通知する通知部である。通知方法が音声による場合はスピーカ、光による場合はＬＥＤ（Ｌｉｇｈｔ Ｅｍｉｔｔｉｎｇ Ｄｉｏｄｅ）などにより構成されることが考えられるが、その限りではない。
【００４１】
図３は、本発明の実施の形態１における通信装置の機能ブロック図である。
【００４２】
図３において、１６は、ＷＡＮ側通信部９やネットワーク制御部８を用いることで、ＩＰ網３を経由したネットワークによる通信を行なうＩＰ網通信手段である。ＩＰ網３を経由した外線の発着信は、ＩＰ網通信手段１６を用いて行なわれる。１７は、通信装置１に接続される子機２との通信に必要な子機２の各種情報を登録する子機登録手段である。登録される情報としては、子機のユニークな製造番号や、ＩＰアドレスなどが考えられるが、その限りではない。
【００４３】
１８は、ＬＡＮ側通信部１０やネットワーク制御部８を用いることで、通信装置１に接続されている子機２との通信を行なう子機通信手段である。但し、子機がＷＡＮ側に接続されている場合は、通信装置１はＩＰ網通信手段１６を用いてＩＰ網経由で子機２と論理的な通信を行なう場合もある。１９は、ＩＰ網通信手段１６を介したＩＰ網３からの電話の着信を検出する着信検出手段である。着信検出手段１９により着信が検出された場合、通信装置１は、子機登録手段１７に登録されている子機２に対して、子機通信手段１８を使って呼び出しを行なう。着信の処理は主に呼制御プログラム１２によって行なわれる。２０は、通信装置１に設けられ、着信検出手段１９により電話の着信が検出された際に、通知部１５によってユーザに対して着信を通知する着信通知手段である。
【００４４】
以下、実施の形態１の動作について、ユーザに電話の着信を通知するまでの手順を示すフローチャートである図４に基づいて説明する。
【００４５】
図４において、ステップＳ１では、着信検出手段１９により、ＩＰ網３からの電話の着信の有無を判定する。着信がある場合にはステップＳ２に進むが、着信が無い場合にはステップＳ１に戻り、ＩＰ網３からの着信を待つ。ステップＳ２では、着信通知手段２０により、ユーザに対して着信の通知を行なう。着信を通知する方法としては、音声や光などを使った通知方法が考えられる。
【００４６】
ステップＳ３では、通信装置１に登録された子機２に関する情報を、子機登録手段１７から読み出す。ステップＳ４では、通信装置１に登録された子機が存在するかどうかを判断する。子機が登録されている場合にはステップＳ５に進み、子機が登録されていない場合にはステップＳ６に進む。ステップＳ５では、ステップＳ３で読み出された情報に対応する子機２に対して、子機通信手段１８により電話の着信を通知する。この時点で、通知を受け取った子機２は子機２自身に備わった通知手段により着信の通知を開始する。子機２に備わる通知手段としては、振動により着信を通知するバイブレータやスピーカ、ＬＥＤなどがある。
【００４７】
ステップＳ６では、現在着信中の呼の発信元が呼を切断したかどうかを、呼制御プログラム１２などにより検知する。呼の切断が検知された場合にはステップＳ８に進み、呼の切断が検知されなかった場合にはステップＳ７に進む。ステップＳ７では、子機２が着信中の呼に対して応答したかどうかを、呼制御プログラム１２などにより検出する。子機２による応答が検出された場合にはステップＳ８に進むが、応答が検出されなかった場合にはステップＳ６に戻り、発信元の切断検出と、ステップＳ７の子機２による応答の検出を繰り返す。
【００４８】
ステップＳ８では、ステップＳ２で開始したユーザへの通知を停止する。これは、発信元の切断が検出されたか、あるいは子機２による応答が検出され、通信装置１が着信を通知する必要がなくなったためである。
【００４９】
以上のように本実施の形態１によれば、上記の構成により通信装置１が外線着信をユーザに通知することが可能となるので、通信装置１と子機２が接続されていないときにも、ユーザは外線着信に気付くことができる。
【００５０】
（実施の形態２）
図５は、本発明の実施の形態２における通信装置を用いたシステム構成図である。
【００５１】
図５において、１は本発明の実施の形態２に係る通信装置、２は通信装置１に登録され、ネットワーク接続されているＩＰ電話機やパーソナルコンピュータ上で動作するＩＰ電話ソフトウェアなどの子機、３はインターネットやイントラネットなどにより構成されるＩＰ網、２１は固定電話回線の電話網である公衆回線網であり、ユーザは子機２を利用することで、通信装置１を経由してＩＰ網３あるいは公衆回線網２１を介した電話の発着信を行なう。
【００５２】
図６は、本発明の実施の形態２における通信装置の内部構成を示す図である。
【００５３】
図６において、中央処理装置４は、データバス５を介して各部との信号の入出力を行い、この入力した信号に応じて各構成要素を制御する。すなわち、中央処理装置４はプログラム格納部６に格納された各種プログラムに従って、通信装置１全体の動作を制御することにより、通信装置１のＩＰ網３や公衆回線網２１への接続や、子機２とのネットワーク接続及び発着信の処理、各種プロトコルの処理などを実行する。プログラム格納部６は、マスクＲＯＭやフラッシュＲＯＭ、ＥＥＰＲＯＭなどで構成され、通信装置１の動作を制御する各種プログラムを格納したメモリである。メモリ部７は、中央処理装置４が処理を行なう場合に、一時的な作業用メモリ領域として使用される。メモリ部７は揮発性メモリで構成される場合が多いが、不揮発性メモリで構成される場合も有り得る。ネットワーク制御部８は、ネットワーク通信に関する、ＩＰに代表される各種プロトコルを処理し、データのルーティングを行なう。
【００５４】
ＷＡＮ側通信部９は、ＷＡＮやイントラネットなどの外部ネットワークとのデータの送受信を司る部分であり、Ｅｔｈｅｒｎｅｔ（登録商標）などの有線や無線により通信装置１をＩＰ網３などの外部ネットワークと接続する。ＬＡＮ側通信部１０は、通信装置１の配下、すなわちＬＡＮ側に配置される端末と通信装置１を有線や無線により接続される。一般的に、子機２は通信装置のＬＡＮ側に接続される場合が多いが、例えば、ホットスポットから子機を利用する場合など、ＷＡＮ側から通信装置に論理的にＩＰ接続する形態も有り得る。公衆回線網通信部２２は、公衆回線網２１との通信を行う部分であり、例えば電話線インターフェースであるＳＬＩＣ（Ｓｕｂｓｃｒｉｂｅｒ Ｌｏｏｐ Ｉｎｔｅｒｆａｃｅ Ｃｉｒｃｕｉｔ）や、信号のアナログ−デジタル変換を行なうソフトウェアあるいはハードウェアＣＯＤＥＣ（ＣＯｄｅｒ ＤＥＣｏｄｅｒ）などにより構成される場合が多い。
【００５５】
記憶部１１は、通信装置１の設定情報や子機２の登録情報など、通信装置１の運用に必要な情報を記憶しておく部分であり、フラッシュＲＯＭなど不揮発性メモリで構成される場合が多い。呼制御プログラム１２は、プログラム格納部６に格納されており、ＩＰ網３を経由したＩＰ電話及び公衆回線網２１を経由したアナログ電話の発着信を制御するプログラムである。例えば、着信の際に通信装置１に接続されている子機２を呼び出すための処理を行なったり、発信の際に子機２から送信された呼制御情報に基づいて、発信元とは別の子機２を呼び出したり、ＩＰ網３に存在する別の呼制御サーバに接続したりする処理を行なう。呼制御プログラム１２は、ＳＩＰサーバや、ＩＰ−ＰＢＸソフトウェアなどで構成される場合が多いが、その限りではない。
【００５６】
ゲートウェイプログラム２３は、通信装置１が公衆回線網２１経由で発着信を行なう場合に、ＩＰ電話とアナログ電話のプロトコルの差異を吸収する処理を行なう。例えば、通信装置１が子機２やＩＰ網３とのＩＰ電話の通信にＳＩＰを用いており、公衆回線網２１に対する発着信が行なわれる場合には、ＳＩＰとアナログ電話の呼制御プロトコルの変換などの処理を行なう。操作プログラム１３は、通信装置１のステータスを表示したり、ユーザが各種設定を行なうためのプログラムである。操作プログラム１３は、ＨＴＴＰサーバで構成される場合が多く、ユーザは通信装置１にネットワーク接続されたパーソナルコンピュータなどの端末から、Ｗｅｂブラウザを使用して通信装置１に接続して設定を行なうことができるが、その限りではない。
【００５７】
制御プログラム１４は、プログラム格納部６に格納されており、ルータの基本機能であるルーティング処理やフィルタリング処理だけでなく、呼制御プログラム１２、ゲートウェイプログラム２３及び操作プログラム１３が行なう以外の全ての必要な処理を実行するプログラムである。通知部１５は、ユーザに対して電話の着信を通知する通知部である。通知方法が音声による場合はスピーカ、光による場合はＬＥＤなどにより構成されることが考えられるが、その限りではない。
【００５８】
図７は、本発明の実施の形態２における通信装置の機能ブロック図である。
【００５９】
図７において、１６は、ＷＡＮ側通信部９やネットワーク制御部８を用いることで、ＩＰ網３を経由したネットワークによる通信を行なうＩＰ網通信手段である。ＩＰ網３を経由した外線の発着信は、ＩＰ網通信手段１６を用いて行なわれる。２４は、公衆回線網通信部２２を用いることで、公衆回線網２１を経由した発着信を行なう公衆回線網通信手段である。２５は、ゲートウェイプログラム２３を用いることで、通信装置１が公衆回線網２１経由で発着信を行なう場合に、ＩＰ電話とアナログ電話のプロトコルの差異を吸収する処理を行なうゲートウェイ手段である。１７は、通信装置１に接続される子機２との通信に必要な子機２の各種情報を登録する子機登録手段である。登録される情報としては、子機のユニークな製造番号や、ＩＰアドレスなどが考えられるが、その限りではない。
【００６０】
１８は、ＬＡＮ側通信部１０やネットワーク制御部８を用いることで、通信装置１に接続されている子機２との通信を行なう子機通信手段である。但し、子機がＷＡＮ側に接続されている場合は、通信装置１はＩＰ網通信手段１６を用いてＩＰ網経由で子機２と論理的な通信を行なう場合もある。２６は、通信装置１に子機２が接続されているかどうかを判定する子機接続判定手段である。通信装置１に子機２が接続されていない状態の例としては、子機２の電源が切れている、子機２が無線圏外である、子機２がネットワーク接続されていない、などが考えられる。
【００６１】
１９は、ＩＰ網通信手段１６を介したＩＰ網３からの電話の着信、及び公衆回線網通信手段２４及びゲートウェイ手段２５を介した公衆回線網２１からの電話の着信を検出する着信検出手段である。着信検出手段１９により着信が検出された場合、通信装置１は、子機登録手段１７に登録されている子機２に対して、子機通信手段１８を使って呼び出しを行なう。着信の処理は主に呼制御プログラム１２によって行なわれる。２０は、通信装置１に設けられ、着信検出手段１９により電話の着信が検出された際に、通知部１５によってユーザに対して着信を通知する着信通知手段である。
【００６２】
以下、実施の形態２の動作について、ユーザに電話の着信を通知するまでの手順を示すフローチャートである図８に基づいて説明する。
【００６３】
図８において、ステップＳ９では、着信検出手段１９により、ＩＰ網３あるいは公衆回線網２１からの電話の着信の有無を判定する。着信がある場合にはステップＳ１０に進むが、着信が無い場合にはステップＳ９に戻り、着信を待つ。ステップＳ１０では、通信装置１に登録された子機２に関する情報を、子機登録手段１７から読み出す。ステップＳ１１では、通信装置１に登録された子機が存在するかどうかを判断する。子機が登録されている場合にはステップＳ１２に進み、子機が登録されていない場合にはステップＳ１３に進む。ステップＳ１２では、子機接続判定手段２６により、通信装置１に現在接続している子機が存在するかどうかを判定する。接続の判定方法としては、通信装置１に登録されている子機に対して、特定のパケットを送信し、それに対する応答があるかどうかや、無線がリンクしているかどうかなどの判定方法がある。接続されている子機が存在する場合にはステップＳ１７に進み、接続されている子機が存在しない場合にはステップＳ１３に進む。
【００６４】
ステップＳ１３では、今回の着信を既にユーザに通知中かどうかを判断する。既に通知中である場合にはステップＳ１５に進み、通知中でない場合にはステップＳ１４に進む。ステップＳ１４では、着信通知手段２０により、ユーザに対して着信の通知を行なう。ステップＳ１５では、現在着信中の呼の発信元が呼を切断したかどうかを、呼制御プログラム１２などにより検知する。呼の切断が検知された場合にはステップＳ１６に進み、呼の切断が検知されなかった場合にはステップＳ１０に進み、再度子機の登録情報を読み出す。これは、着信後に登録あるいは接続された子機が存在する場合に、その子機に対して通知を行なう処理を実行するためである。
【００６５】
ステップＳ１６では、ステップＳ１４で開始したユーザへの通知を停止する。これは、発信元の切断が検出されたためである。ステップＳ１７では、今回の着信を既にユーザに通知中かどうかを判断する。これは、子機が接続されていると判断された場合、端末装置１が既に通知中であれば、その通知を止めるためである。既に通知中である場合にはステップＳ１８に進み、通知中でない場合にはステップＳ１９に進む。ステップＳ１８では、ステップＳ１４で開始したユーザへの通知を停止する。
【００６６】
ステップＳ１９では、ステップＳ１２で接続されていると判断された子機に対して、子機通信手段１８により電話の着信を通知する。この時点で、通知を受け取った子機２は子機２自信に備わった通知手段により着信を開始する。
【００６７】
以上のように本実施の形態によれば、上記の構成により、通信装置１はＩＰ網３のみでなく、公衆回線網２１からの着信も通知することが可能となるので、家庭内に複数種別（ＩＰ網／公衆回線網）の回線を持つユーザに対しても、回線種別に関係なく着信を通知することができると共に、通信装置１は子機２が接続されているかどうかを知ることが可能となるので、子機が接続されていない場合にのみ、通信装置１が着信を通知することができる。
【００６８】
なお、通信装置１に接続される子機２は単数、複数を問わない。また、通信装置１はＩＰ網３及び子機２と接続された構成としているが、その接続形態については、有線、無線を問わないものとする。
【産業上の利用可能性】
【００６９】
本発明にかかる通信装置は、通信装置と子機が接続されていないときにも、ユーザは外線着信に気付くことができるところから、例えば配下にＩＰ電話子機が接続され、ＩＰ網を介した電話通信を行なうＩＰ電話対応ルータ及びそのシステムなどへの利用が可能である。
【図面の簡単な説明】
【００７０】
【図１】本発明の実施の形態１における通信装置を用いたシステム構成図
【図２】本発明の実施の形態１における通信装置の内部構成を示す図
【図３】本発明の実施の形態１における通信装置の機能ブロック図
【図４】本発明の実施の形態１における通信装置の動作フローチャート
【図５】本発明の実施の形態２における通信装置を用いたシステム構成図
【図６】本発明の実施の形態２における通信装置の内部構成を示す図
【図７】本発明の実施の形態２における通信装置の機能ブロック図
【図８】本発明の実施の形態２における通信装置の動作フローチャート
【符号の説明】
【００７１】
１    通信装置
２    子機
３    ＩＰ網
４    中央処理装置
５    データバス
６    プログラム格納部
７    メモリ部
８    ネットワーク制御部
９    ＷＡＮ側通信部
１０    ＬＡＮ側通信部
１１    記憶部
１２    呼制御プログラム
１３    操作プログラム
１４    制御プログラム
１５    通知部
１６    ＩＰ網通信手段
１７    子機登録手段
１８    子機通信手段
１９    着信検出手段
２０    着信通知手段
２１    公衆回線網
２２    公衆回線網通信部
２３    ゲートウェイプログラム
２４    公衆回線網通信手段
２５    ゲートウェイ手段
２６    子機接続判定手段
【図１】
2008258721.tif 000003
【図２】
2008258721.tif 000004
【図３】
2008258721.tif 000005
【図４】
2008258721.tif 000006
【図５】
2008258721.tif 000007
【図６】
2008258721.tif 000008
【図７】
2008258721.tif 000009
【図８】
2008258721.tif 000010